(57)【要約】【課題】  平板のような部材の表面や裏面に文字，絵柄，画像，模様のような表示体を設けこの表示体に沿って配置されたＬＥＤによって表示体を照明するＬＥＤを用いた簡易ライトパネルを提供する。【解決手段】  平板２の表面に例えば、Ａ，Ｂ，Ｃのような文字の表示体を描き、これに沿ってＬＥＤ４を配置する。ＬＥＤ４は凹部９内に設けられ、電源７に連結する制御部５により照度，色，点滅等の制御が行われる。これにより表示体１を鮮明に照光表示できる。【選択図】  図１
0003125603.tif 000002
【実用新案登録請求の範囲】
【請求項１】
部材の表面及び／又は裏面に表示される文字，絵柄，画像，模様のような表示体を該表示体に沿って配設されるＬＥＤにより照明するライトパネルであって、該ライトパネルは、前記ＬＥＤを囲んで凹部を形成し、内部に前記ＬＥＤの照度，色，点滅を制御する制御部を収納することを特徴とするＬＥＤを用いた簡易ライトパネル。
【請求項２】
前記部材が、平板，曲板，中空円筒体であることを特徴とする請求項１に記載のＬＥＤを用いた簡易ライトパネル。
【請求項３】
前記部材が、同一形態の単一のものや複数群からなるもの又は異なる形態のものの組み合わせ群からなることを特徴とする請求項１又は２に記載のＬＥＤを用いた簡易ライトパネル。
【請求項４】
前記部材が、木材，プラスチック，ガラス，セラミックスからなることを特徴とする請求項１乃至３のいずれかに記載のＬＥＤを用いた簡易ライトパネル。
【請求項５】
前記凹部が、略半円弧状のものからなり、その底面近傍に前記ＬＥＤが配設されることを特徴とする請求項１乃至４のいずれかに記載のＬＥＤを用いた簡易ライトパネル。
【請求項６】
前記表示体の露出面側には、ＬＥＤを保護するための透明又は半透明の保護板が設けられることを特徴とする請求項１乃至５のいずれかに記載のＬＥＤを用いた簡易ライトパネル。
【考案の詳細な説明】
【技術分野】
【０００１】
本考案は、文字，絵柄，画像，模様等の表示体をこの表示体に沿って配置されたＬＥＤによって照明するＬＥＤを用いた簡易ライトパネルに関する。
【背景技術】
【０００２】
ライトパネルとしては各種のものがあり、蛍光灯を用いるものやＬＥＤを用いるものや最近ではＥＬを用いるもの等が広く開示されている。例えば、蛍光灯を用いるものとしては「特許文献１」や「特許文献２」が挙げられ、ＬＥＤを用いるものとしては「特許文献３」や「特許文献４」や「特許文献５」等が挙げられる。
【特許文献１】特開平９−３１８８２０号（図１）
【特許文献２】特開２００４−１３０７２号（図１）
【特許文献３】特開２００５−１８１４４１号（図１）
【特許文献４】特開平９−１１５３２３号（図１）
【特許文献５】特開２００５−４９７２４号（図１）
【考案の開示】
【考案が解決しようとする課題】
【０００３】
「特許文献１」の「特開平９−３１８８２０号」の「面光源装置」はエッジライトパネルとその側面に蛍光灯を配置したものであり、優れた照明輝度を有するものであるが、元々蛍光灯は故障し易く、消費電力も問題点がある。また、前記のようにエッジライトパネルに限定する問題点がある。
また、「特許文献２」の「特開２００４−１３０７２号」の「電飾看板」は蛍光灯と多数個の透過光調整シートを使用するものであり、前記の蛍光灯のもつ問題点がある他、全体構造が複数となり、各種形態の表示体を形成することが難しい問題点がある。
また、「特許文献３」の「特開２００５−１８１４４１号」の「バックライト装置」はＬＥＤバックライトを用いるものであるが、その制御機構が複雑であり、装置全体が高価なものとなる問題点がある。
また、「特許文献４」の「特開平９−１１５３２３号」の「バックライトパネル装置」は反射シートとＬＥＤ回路を用いるものであるが、表示体の内容に自由度が少なく、装置全体が高価なものとなる問題点がある。
また、「特許文献５」の「特開２００５−４９７２４号」の「文字表示装置」は文字表示パネルにレーザ等により内部描画をし、これをＬＥＤで照射するものであり、特徴のある優れたものであるが、複雑なレーザ加工を必要とし高価なものとなる問題点がある。
【０００４】
本考案は、以上の事情に鑑みて考案されたものであり、表示体の形態の自由度が高く、ＬＥＤの使用量も少なく、全体として簡便な構造のものからなり、目的に応じて多様に変化させることができ、取扱性の向上も図れるＬＥＤを用いた簡易ライトパネルを提供することを目的とする。
【課題を解決するための手段】
【０００５】
本考案は、以上の目的を達成するために、請求項１の考案は、部材の表面及び／又は裏面に表示される文字，絵柄，画像，模様のような表示体を該表示体に沿って配設されるＬＥＤにより照明するライトパネルであって、該ライトパネルは、前記ＬＥＤを囲んで凹部を形成し、内部に前記ＬＥＤの照度，色，点滅を制御する制御部を収納することを特徴とする。
【０００６】
また、請求項２の考案は、前記部材が、平板，曲板，中空円筒体であることを特徴とする。
【０００７】
また、請求項３の考案は、前記部材が、同一形態の単一のものや複数群からなるもの又は異なる形態のものの組み合わせ群からなることを特徴とする。
【０００８】
また、請求項４の考案は、前記部材が、木材，プラスチック，ガラス，セラミックスからなることを特徴とする。
【０００９】
また、請求項５の考案は、前記凹部が、略半円弧状のものからなり、その底面近傍に前記ＬＥＤが配設されることを特徴とする。
【００１０】
また、請求項６の考案は、前記表示体の露出面側には、ＬＥＤを保護するための透明又は半透明の保護板が設けられることを特徴とする。
【考案の効果】
【００１１】
本考案の請求項１のＬＥＤを用いた簡易ライトパネルによれば、表示体に沿って凹部内に配置したＬＥＤをその照度，色，点滅の制御をしながら点灯することにより表示体のみが鮮明に照明され、美観のある表示体が明瞭に表示される。以上のような簡便の構造によって表示体が表示され、ＬＥＤも表示中に沿う部分にしか使用されないため装置コストの低減化が図れる。
【００１２】
また、本考案の請求項２のＬＥＤを用いた簡易ライトパネルによれば、部材としては平板のみならず、曲板や中空円筒体が用いられ、多様で変化のある表示体を形成することができる。
【００１３】
また、本考案の請求項３のＬＥＤを用いた簡易ライトパネルによれば、部材は単一使用のみならず、複数のものや組み合わせのものからなり、更に多様の表示体を作ることができる。
【００１４】
また、請求項４のＬＥＤを用いた簡易ライトパネルによれば、部材としては各種の材質のものが用いられ、目的に応じて最適の材料で作成することができる。
【００１５】
また、請求項５のＬＥＤを用いた簡易ライトパネルによれば、凹部を略半円弧状のものとし、ＬＥＤをその底面近傍に配置することにより表示体を鮮明に表示することができる。
【００１６】
また、請求項６のＬＥＤを用いた簡易ライトパネルによれば、保護板を用いることにより、表示体の鮮明表示を損うことなく、ＬＥＤの保護が行われ、耐久性の向上が図れる。
【考案を実施するための最良の形態】
【００１７】
以下、本考案のＬＥＤを用いた簡易ライトパネルの実施の形態を図面を参照して詳述する。
【実施例１】
【００１８】
図１（ａ），（ｂ），（ｃ）は本考案のＬＥＤを用いた簡易ライトパネルの最も基本的の形態を示すものである。ＬＥＤを用いた簡易ライトパネル１００は、大別して表示体１（図１ではＡ，Ｂ，Ｃの文字）を表示する部材の１つである平板２と、空間部１１を隔てて平板２と対峙して配置される裏板３と、平板２に装着されているＬＥＤ４と、ＬＥＤ４の制御部５等とからなる。なお、ＬＥＤ４としては普通のものでもよいが、超高輝度のものでもよくこれを使用することにより鮮明度の一層の向上が図れる。なお、制御部５はインバータ６等を介して電源７に連結される。また、この実施例では平板２の露出面（表面）側には透明の保護板８が装着されている。勿論この保護板８はなくてもよい。
【００１９】
本実施例ではＬＥＤ４は表示体１に沿って配置され、ＬＥＤ４のまわりには凹部９が形成される。即ち、ＬＥＤ４及び凹部９は表示体１であるＡ，Ｂ，Ｃに沿った部分にのみ配置され、平板２のそれ以下の場所には配置されない。よって、本実施例におけるＬＥＤ４の使用量は極めて少ない。また、凹部９の形状については後に説明するが、凹部９の形状によって表示体１の照明度が異なるため、この形状については任意のものではない。
また、制御部５としてはＬＥＤ４の主として照度，色やその点滅を制御するものであり、表示体１に沿って並べられているＬＥＤ４を同一の内容で制御するのみならず、色々夫々異なった内容で制御することができる。なお、このＬＥＤ５の制御部としては公示技術が多く存在しているため、ここでは説明を省略する。また、裏板３は制御部５の露出を防止するためのものであり、その機能を有するものであれば板材であってもよい。また、平板２や裏板３は枠体１０により一体的に固定される。
以上の構造により、制御部５の作動によりＬＥＤ４が所望の照明を行い、平板２の表示体１を照明することになる。このＬＥＤを用いた簡易ライトパネル１００は以上のようにコンパクトの構造からなり、作成し易く比較的安価に実施できる。また、表示体１としては任意の形態のものが用いられ、適用範囲は極めて広い。また、比較的小形軽量にでき、取扱性の向上も図れる。
【実施例２】
【００２０】
ここでは凹部９の詳細構造とその機能を説明する。
前記のように、平板２には凹部９が形成されるが、この凹部９は図２（ａ）に示すように半円弧状凹部９ａが望ましい。即ち、半円弧状凹部９ａはその開放側を平板２の表面側に向けて形成されるものであり、例えば、円を１／２にしたものが一例として採用されるが、略半円弧状のものでもよい。例えば、半円弧状凹部９ａの場合ＬＥＤ４は半円弧状凹部９ａの底面近傍に設けられることが望ましい。即ち、図（２）ｂに示すように、Ｐ点をＬＥＤ４の照射点とすると、ここから照射された光１２は半円弧状凹部９ａの内壁１３の部分で反射してＱ矢視のように平板２の表面とほぼ直交する方向に進む。このため平板２の表示体１がどの表示体１を見ている人の目に最も効率的に照射され、表示体１を鮮明に見ることができる。
【実施例３】
【００２１】
前記のＬＥＤを用いた簡易ライトパネル１００は平板２が一方向（例えば、表面）にのみ設けられていたが、平板２を表裏面に設けてもよい。即ち、前記の裏板３の替りに平板２をここに設け、ここに前記したと同様の表示体１や凹部９ａ及びＬＥＤ４を配置してもよい。この実施例３におけるＬＥＤを用いた簡易ライトパネル１００ａは表裏に平板２，２を設けたものであり、表示体１としては表面にＡ，Ｂ，Ｃを、裏面に丸，三角，四角を設けたものが示されている。これによりＬＥＤを用いた簡易ライトパネル１００ａの機能を一層向上させることができる。
【実施例４】
【００２２】
前記の実施例では部材として平板２を採用したものであるが、部材としてはこれに限定するものではなく曲線や円筒状のものでもよい。図４（ａ）は部材として曲線板２ａを用いたものであり図４（ｂ）は中空の円筒体からなる円筒体板２ｂを用いたものである。なお、これ等の基本的の構成は前記の実施例とほぼ同様であり、重複の説明を省略する。
【実施例５】
【００２３】
前記の実施例は部材として単一の平板２や曲線板２ａや円筒体板２ｂを用いたものであるが、これ等を複数用いたものでもよい。図５（ａ）は平板２を２枚用いて開閉自在の構造としたものであり、図５（ｂ）は平板２を３枚用いたものである。勿論、これに限定するものではない。また、図５（ｃ）は平板２と曲線板２ａとを組み合わせたものである。以上のように、部材は複数及び任意の組み合わせをすることができ、多量の表示の可能のライトパネルを実現することができる。
【００２４】
以上実施例１乃至５を説明したが、本考案はこれ等に限定するものでなく、同一技術的範疇のものが採用されることは勿論である。また、部材の材質も任意であり、木材，プラスチック，ガラス，セラミックス等が採用され、これ等の組み合わせも採用される。また、前記のようにＬＥＤ４についてはその照度は任意のものでよく、目的に応じて超高輝度のＬＥＤを用いてもよい。また、そのサイズや性能も存在するすべてのＬＥＤが採用可能であることは勿論である。
【産業上の利用可能性】
【００２５】
本考案のライトパネルは標識や看板や広告に量されることは勿論であるが、照明の必要とする表示体のすべてに採用可能であり、その利用範囲は広い。
【図面の簡単な説明】
【００２６】
【図１】本考案のＬＥＤを用いた簡易ライトパネルの一例を示す正面図（ａ）及びＡ−Ａ断面図（ｂ）及びＢ−Ｂ断面図（ｃ）。
【図２】凹部として半円弧状凹部を用いた実施例を示す模式断面図（ａ）及びその作用を示す模式断面図（ｂ）。
【図３】表裏面に表示体を有するＬＥＤを用いた簡易ライトパネルの実施例を示す正面図（ａ）Ｃ−Ｃ断面図（ｂ）及び背面図（ｃ）。
【図４】部材として曲線板及び円筒板を用いる実施例を示す断面図（ａ），（ｂ）。
【図５】部材として同一形態のものの組み合わせや相異する形態のものの組み合わせの実施例を示す模式図。
【符号の説明】
【００２７】
１        表示体
２        平板
２ａ      曲線板
２ｂ      円筒体板
３        裏板
４        ＬＥＤ
５        制御部
６        インバータ
７        電源
８        保護板
９        凹部
９ａ      半円弧状凹部
１０      枠体
１１      空間部
１２      光
１３      内壁
１００    ＬＥＤを用いた簡易ライトパネル
１００ａ  ＬＥＤを用いた簡易ライトパネル
【図１】
0003125603.tif 000003
【図２】
0003125603.tif 000004
【図３】
0003125603.tif 000005
【図４】
0003125603.tif 000006
【図５】
0003125603.tif 000007